(57)【要約】【課題】本発明は、腕金において２つの主材を連結している補助材の交換が容易になることで腕金の補修作業をより簡略化することができ、作業の負担を軽減することが可能な腕金補修方法を提供する。【解決手段】本発明にかかる腕金補修方法の構成は、アングル材で構成された腕金２２０を補修する腕金補修方法であって、腕金は、電線２０２を引き留める２本の主材２２２ａ・２２２ｂと、２本の主材を連結する補助材２２４とを含んで構成され、ボルト穴１１２ａ・１１２ｂを有する治具１１０ａ・１１０ｂを２本の主材２２２ａ・２２２ｂのそれぞれに取り付け、端部にネジが切られた継手１２０で２つの治具のボルト穴を連結し、治具の外側から継手の端部のネジをナット１３０ａ・１３０ｂで締めて主材を内側に向かって付勢し、補助材を固定するボルト１０４・２０４にかかる電線の張力を緩和した状態で補助材を交換することを特徴とする。【選択図】図５
2018110484.tif 000002
【特許請求の範囲】
【請求項１】
アングル材で構成された腕金を補修する腕金補修方法であって、
前記腕金は、電線を引き留める２本の主材と、該２本の主材を連結する補助材とを含んで構成され、
ボルト穴を有する治具を前記２本の主材のそれぞれに取り付け、
端部にネジが切られた継手で前記２つの治具のボルト穴を連結し、
前記治具の外側から前記継手の端部のネジをナットで締めて前記主材を内側に向かって付勢し、
前記補助材を固定するボルトにかかる前記電線の張力を緩和した状態で補助材を交換することを特徴とする腕金補修方法。
【請求項２】
前記治具は前記主材の上面および下面の両方に取り付けられ、
前記主材の上側および下側の両方において該主材を内側に向かって付勢することを特徴とする請求項１に記載の腕金補修方法。
【請求項３】
前記治具は、
前記主材に固定される床板と、
前記ボルト穴を有し前記継手が接続される立板と、
前記床板と前記立板とを連結する三角板と、
を有することを特徴とする請求項１または２に記載の腕金補修方法。
【請求項４】
前記継手には、該継手にかかる張力を表示する張力計が取り付けられていることを特徴とする請求項１から３のいずれか１項に記載の腕金補修方法。
【請求項５】
アングル材で構成された腕金を補修する腕金補修装置であって、
前記腕金は、電線を引き留める２本の主材と、該２本の主材を連結する補助材とを含んで構成され、
ボルト穴を有し前記２本の主材のそれぞれに取り付ける一対の治具と、
端部にネジが切られ前記一対の治具のボルト穴を連結する継手と、
前記治具の外側から前記継手の端部のネジに締め付けられるナットと、
を備えることを特徴とする腕金補修装置。
【発明の詳細な説明】
【技術分野】
【０００１】
本発明は、アングル材で構成された腕金を補修する腕金補修方法および腕金補修装置に関する。
【背景技術】
【０００２】
電気事業者の発電所で発電された電気は、地上に建設された送電鉄塔（以下、単に鉄塔と称する）に張架（支持）されている送電線を通じて長距離にわたって送電され、変電所で変電された後に需要家に供給される。例えば特許文献１のように、鉄塔では、主柱材の上部に水平方向に延びる腕金が設けられていて、かかる腕金に送電線が張架されている。
【０００３】
腕金は腐食等によって劣化するため、ある程度の年数（期間）が経過すると補修が必要となる。特許文献１では、腕金主材の先端部分に引掛け部材を固定し、かかる引掛け部材と鉄塔の塔体（主柱材）との間にワイヤを掛け渡している。そして、ワイヤに設けられた張力調節装置を手動で調節することによりワイヤの張力を調整し、腕金の補修作業を行っている。特許文献１によれば、送電線から腕金にかかる荷重を、ワイヤを介して鉄塔の塔体で受けることができるため、送電線を一時的に移線することなく腕金を構成する腕金先端プレートや腕金吊材を交換することができるとしている。
【０００４】
特許文献１では、腕金において縦面で接合されている腕金先端プレートと腕金吊材を交換することを目的としている。このため、特許文献１のように送電線から腕金にかかる荷重のうち、上下方向の荷重を鉄塔の塔体で受けることにより、腕金先端プレートと腕金吊材にかかる上下方向の荷重が軽減され、それらを固定しているボルトを好適に取り外すことができる。
【先行技術文献】
【特許文献】
【０００５】
【特許文献１】特開２０１２−２５１３１８号公報
【発明の概要】
【発明が解決しようとする課題】
【０００６】
ここで腕金には、特許文献１のように向かいあっている２つの腕金主材（以下、単に主材と称する）との間に、それらを連結する補助材が設けられることがある。主材には、送電線の張力によって外側に向かう荷重、すなわち送電線側に引っ張られる荷重がかかる。したがって、２つの主材は間隔が広がる方向に強い張力がかかっていて、補助材と主材の固定に用いられているボルトにも外側に向かう荷重（剪断応力）がかかる。
【０００７】
しかしながら、特許文献１の技術であると、腕金にかかる上下方向の荷重を軽減することはできるものの、電線の張力による外側に向かう荷重を軽減することができない。このため、特許文献１の技術を適用しても２つの主材を連結する補助材の交換作業に要する労力を軽減することができず、いまだ改善の余地を有していた。
【０００８】
また特許文献１では、ワイヤに張力調整装置（ラチェット機構）が設けられていて手動で張力を調整すると述べられている。しかし、Ｌ字鋼である主材にワイヤをかけて引っ張ると、主材に回転モーメントが生じてしまってねじれの原因になるという問題がある。さらに、腕金は筒状のトラス構造をしていて、腕金の内部にブレース材が適宜設置されているため、張力調整装置を設置するスペースがなく、またラチェット機構のレバーを操作するために作業員が入るスペースも取りにくい。また腕金の幅が狭く、２つの主材の間にワイヤの張力調整装置を設置するほどの距離が取れない。すなわち、２つの主材をワイヤで引く構成は、ねじれの原因にもなり、装置の設置も困難であり、装置の操作も困難であるという問題がある。
【０００９】
本発明は、このような課題に鑑み、腕金において２つの主材を連結している補助材の交換が容易になることで腕金の補修作業をより簡略化することができ、作業の負担を軽減することが可能な腕金補修方法および腕金補修装置を提供することを目的としている。
【課題を解決するための手段】
【００１０】
上記課題を解決するために、本発明にかかる腕金補修方法の代表的な構成は、アングル材で構成された腕金を補修する腕金補修方法であって、腕金は、電線を引き留める２本の主材と、２本の主材を連結する補助材とを含んで構成され、ボルト穴を有する治具を２本の主材のそれぞれに取り付け、端部にネジが切られた継手で２つの治具のボルト穴を連結し、治具の外側から継手の端部のネジをナットで締めて主材を内側に向かって付勢し、補助材を固定するボルトにかかる電線の張力を緩和した状態で補助材を交換することを特徴とする。
【００１１】
上記構成によれば、腕金に取り付けた治具のボルト穴を継手によって連結し、継手の端部のネジをナットで締めることにより、２本の主材がそれぞれ内側に向かって、すなわち対向する主材に向かって付勢される。これにより、電線の張力によって外側に向かうようにかかっている主材への荷重を治具および継ぎ手によって受けていることから、補助材を固定するボルトにかかる張力が緩和され、２本の主材を連結している補助材を容易に取り外すことができる。本発明の利点は、筒状のトラス構造をした腕金の外側において作業が進むことである。治具は、主材の外側に取り付ける。継ぎ手は腕金の中を通すものの、継ぎ手を締め付ける作業は腕金の外側で行われる。したがって、腕金の内部に装置を設置するスペースを必要とせず、また締め付けるための作業においても腕金の中にスペースを必要としない。したがって、腕金の補修作業をより容易に行うことができ、作業の負担を軽減することができる。
【００１２】
上記治具は主材の上面および下面の両方に取り付けられ、主材の上側および下側の両方において主材を内側に向かって付勢するとよい。かかる構成によれば、主材が上側および下側の両方において内側に向かって付勢されるため、主材に回転モーメントを与えることなく、張力を緩和することができる。したがって、補助材の交換作業をより効率的に行うことが可能となる。
【００１３】
上記治具は、主材に固定される床板と、ボルト穴を有し継手が接続される立板と、床板と立板とを連結する三角板と、を有するとよい。かかる構成によれば、三角板がブレース材として機能することから、大きな荷重を受けることが可能である。また治具は、床板、立板およびそれらを連結する三角板とからなる簡素な構造である。したがって、治具の取扱いが容易であるとともに、治具にかかるコストを削減することが可能である。
【００１４】
上記継手には、継手にかかる張力を表示する張力計が取り付けられているとよい。これにより、作業員が継手にかかる張力を容易且つ正確に把握することが可能となる。
【００１５】
上記課題を解決するために、本発明にかかる腕金補修装置の代表的な構成は、アングル材で構成された腕金を補修する腕金補修装置であって、腕金は、電線を引き留める２本の主材と、２本の主材を連結する補助材とを含んで構成され、ボルト穴を有し２本の主材のそれぞれに取り付ける一対の治具と、端部にネジが切られ一対の治具のボルト穴を連結する継手と、治具の外側から継手の端部のネジに締め付けられるナットと、を備えることを特徴とする。上述した腕金補修方法における技術的思想に対応する構成要素やその説明は、当該腕金補修装置にも適用可能である。
【発明の効果】
【００１６】
本発明によれば、腕金において２つの主材を連結している補助材の交換が容易になることで腕金の補修作業をより簡略化することができ、作業の負担を軽減することが可能な腕金補修方法および腕金補修装置を提供することができる。
【図面の簡単な説明】
【００１７】
【図１】本実施形態にかかる腕金補修方法を適用して補修作業を行う鉄塔を例示する図である。
【図２】図１の腕金の詳細図である。
【図３】本実施形態にかかる腕金補修装置を説明するである。
【図４】図３に示す治具の斜視図である。
【図５】本実施形態の腕金補修方法を説明する図である。
【図６】本実施形態の腕金補修方法を説明する図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
（鉄塔）
図１は、本実施形態にかかる腕金補修方法を適用して補修作業を行う鉄塔２００を例示する図である。図１に示すように、鉄塔２００は、上方に延びる複数の主脚材２１０ａ・２１０ｂが補助筋２１２によって連結されることにより本体部２００ａが構成されている。本体部２００ａの上部には腕金２２０が設けられていて、かかる腕金２２０に電線２０２（送電線）が支持されている。
【００２０】
（腕金）
図２は、図１の腕金２２０の詳細図である。腕金は筒状のトラス構造をしていて、図１では正面から観察した図であったが、図２（ａ）は腕金２２０を上方から観察した図である。図２（ｂ）は腕金２２０の先端の電線２０２を引き留めている部分（図２（ａ）の四角破線内）の拡大図である。電線２０２は腕金の底面に引き留められていることから、図２（ｂ）では腕金の側面および天面は記載を省略している。
【００２１】
図２（ａ）に示すように、腕金２２０は、アングル材からなる主材２２２ａ・２２２ｂおよび補助材２２４を含んで構成される。主材２２２ａ・２２２ｂは、電線２０２の敷設方向と交差する方向に延びる部材であり、２つの主材２２２ａ・２２２ｂの間に補助材２２４が配置される。なお、補助材２２４については後に詳述する。
【００２２】
主材２２２ａ・２２２ｂの下側にはプレートが取り付けられる。詳細には、図２（ｂ）に示すように、一方の主材２２２ａの下側には、３つのプレート２２６ａ・２２６ｂ・２２６ｃが取り付けられていて、他方の主材２２２ｂの下側にも、同様に３つのプレート２２６ｄ・２２６ｅ・２２６ｆが取り付けられている。
【００２３】
プレート２２６ａ〜２２６ｆは、補助材２２４側（２つの主材２２２ａ・２２２ｂの間側）を内側としたとき、外側の領域に電線２０２が接続される。これにより、電線２０２は、プレート２２６ａ〜２２６ｆを介して主材２２２ａ・２２２ｂに引き留められる（支持される）。また本実施形態では、主材２２２ａ・２２２ｂの下側に取り付けられる複数のプレート２２６ａ〜２２６ｆの中央近傍に１つのプレート２２６ｇが更に配置されている。
【００２４】
プレート２２６ａ〜２２６ｆの内側の領域、および中央に配置される２２６ｇには補助材が固定される。詳細には、図２（ｂ）に示すように、補助材２２４ａはプレート２２６ａ・２２６ｄに固定され、補助材２２４ｂはプレート２２６ｃ・２２６ｆに固定される。補助材２２４ｃは、プレート２２６ａ・２２６ｆ・２２６ｇに固定される。これにより、２つの主材２２２ａ・２２２ｂは、プレート２２６ａ〜２２６ｇに取り付けられた補助材２２４ａ〜２２４ｃによって連結される。また本実施形態では、一端がプレート２２６ｇに固定された４つの補助材２２４ｄ・２２４ｅ・２２４ｆ・２２４ｇの他端が、プレート２２６ｂ・２２６ｅ・２２６ｃ・２２６ｄそれぞれに固定されている。これにより、２つの主材２２２ａ・２２２ｂをより強固に連結することができる。
【００２５】
（腕金補修装置）
図３は、本実施形態にかかる腕金補修装置１００を説明するである。図４は、図３に示す治具１１０ａの斜視図である。なお、腕金２２０は腕金補修装置１００には含まれないが、理解を容易にするために図３では腕金２２０を図示している。
【００２６】
図３に示すように、本実施形態の腕金補修装置１００は、一対となる２つの治具１１０ａ・１１０ｂ、継手１２０およびナット１３０ａ・１３０ｂを含んで構成される。図４に示すように、治具１１０ａは、床板１１２、立板１１４および三角板１１６ａ・１１６ｂを含んで構成される。
【００２７】
床板１１２は、主材２２２ａに固定される部位であり、その端部から上方に向かって立板１１４が立設している。床板１１２には、かかる床板１１２を主材に固定する際にボルトを取り付けるためのボルト穴１１２ａ・１１２ｂが形成されている。立板１１４は、継手１２０の端部（後述するネジ部）が挿入されるボルト穴１１４ａを有する。床板１１２と立板１１４は三角板１１６ａ・１１６ｂによって連結されている。
【００２８】
本実施形態のように、治具１１０ａが床板１１２、立板１１４および三角板１１６ａ・１１６ｂとからなる構造であることにより、三角板１１６ａ・１１６ｂがブレース材として機能することから、大きな荷重を受けることが可能である。また治具１１０ａが簡素な構造であることにより、治具１１０ａの取扱いが容易であるとともに、治具１１０ａにかかるコストを削減することが可能である。なお、一対の治具１１０ａ・１１０ｂは同一の構成を有するため、治具１１０ｂについての説明は省略する。
【００２９】
図３に示すように、本実施形態の継手１２０は、その端部を構成する２つのネジ部１２２ａ・１２２ｂ、それらを連結する連結部１２４、および連結部に配置される張力計１２６を含んで構成される。張力計１２６は、継手１２０にかかる張力を測定および表示する。これにより、作業員が継手にかかる張力を容易且つ正確に把握することができる。
【００３０】
（腕金補修方法）
図５は、本実施形態の腕金補修方法を説明する図であり、主材２２２ａ・２２２ｂを側方から観察した状態を例示している。本実施形態にかかる腕金補修方法では、図２に示す腕金２２０を構成するアングル材である主材２２２ａ・２２２ｂおよび補助材２２４ａ〜２２４ｇのうち、２つの主材２２２ａ・２２２ｂの間に配置される補助材２２４ａを交換する場合を例示する。また図３および図５では、主材２２２ａ・２２２ｂの上側および下側の両方に腕金補修装置１００を取り付ける構成を例示しているが、取付方法は上側および下側で共通であるため、上側に取り付ける際の手順を例示して説明する。
【００３１】
本実施形態の腕金補修方法では、まず図５（ａ）に示すように、一対の治具１１０ａ・１１０ｂを２本の主材２２２ａ・２２２ｂそれぞれに取り付ける。治具１１０ａ・１１０ｂを主材２２２ａ・２２２ｂに取り付ける際には、主材２２２ａ・２２２ｂに形成されたボルト穴（不図示）と、治具１１０ａ・１１０ｂの床板１１２に形成されているボルト穴１１２ａ・１１２ｂを位置合わせし、それらをボルト１０２によって固定する。
【００３２】
２本の主材２２２ａ・２２２ｂのそれぞれに対して治具１１０ａ・１１０ｂを取り付けたら、継手１２０によって２つの治具１１０ａ・１１０ｂ（厳密には立板１１４のボルト穴１１４ａ）を連結する。詳細には、図５（ｂ）に示すように、治具１１０ａ・１１０ｂのボルト穴１１４ａを連結する際には、継手１２０の端部であるネジ部１２２ａ・１２２ｂを２つの治具１１０ａ・１１０ｂのボルト穴１１４ａにそれぞれ挿入する。これにより、対向する２つの治具１１０ａ・１１０ｂが継手１２０を介して連結される。
【００３３】
次に、図５（ｃ）に示すように、ナット１３０ａ・１３０ｂを治具１１０ａ・１１０ｂの外側から継手１２０の端部のネジ部１２２ａ・１２２ｂに締結する。このナット１３０ａ・１３０ｂをネジ部１２２ａ・１２２ｂに締め付けていくことにより、図５（ｃ）に矢印で示すように主材２２２ａ・２２２ｂが内側に向かって付勢される。
【００３４】
図６は、本実施形態の腕金補修方法を説明する図であり、主材２２２ａ・２２２ｂを上方から観察した状態を例示している。上述したように、主材２２２ａ・２２２ｂの外側からネジ部１２２ａ・１２２ｂにナット１３０ａ・１３０ｂを締め付けると、図６（ａ）の矢印に示すように、電線２０２の張力で外側に向かうようにかかっている主材２２２ａ・２２２ｂの荷重Ｐ１が、継手１２０によって内側に付勢される力Ｐ２によって相殺されるため、補助材２２４ａを固定するボルトにかかる電線２０２の張力が緩和される。この状態で、補助材２２４ａをプレート２２６ａ・２２６ｄに固定しているボルト１０４・２０４を取り外し、図６（ｂ）に示すように補助材２２４ａを取り外し、新しい補助材に交換する。
【００３５】
上記説明したように、本実施形態の腕金補修方法では、腕金２２０の主材２２２ａ・２２２ｂに取り付けた治具１１０ａ・１１０ｂのボルト穴１１４ａを継手１２０によって連結し、継手１２０の端部のネジ（ネジ部１２２ａ・１２２ｂ）をナット１３０ａ・１３０ｂで締めることにより、主材２２２ａ・２２２ｂが内側に向かって付勢される。これにより、補助材２２４を固定しているボルトにかかっている電線２０２の張力を緩和することができ、ボルトを容易に取り外すことが可能となる。したがって、補助材２２４の交換作業ひいては腕金２２０の補修作業に要する労力を大幅に軽減することができ、補修作業を容易に行うことが可能となる。
【００３６】
特に本実施形態では、ネジ（ネジ部１２２ａ・１２２ｂ）に対してナット１３０ａ・１３０ｂを締め付ける作業を主材２２２ａ・２２２ｂの外側からを行う。このため、腕金２２０の主材２２２ａ・２２２ｂの間が狭く、作業員が入り込みづらい現場であっても、腕金２２０の補修作業を良好に行うことが可能である。
【００３７】
また本実施形態では、図５（ａ）に示すように、治具１１０ａ・１１０ｂをプレート２２６ａ・２２６ｄの下面に取り付けることにより、図５（ｃ）に示すように主材２２２ａ・２２２ｂの下面にも腕金補修装置１００を取り付けている。これにより、治具１１０ａ・１１０ｂひいては腕金補修装置１００が主材２２２ａ・２２２ｂの上面および下面の両方に取り付けられ、主材２２２ａ・２２２ｂが上側および下側の両方において内側に向かって付勢される。したがって、主材２２２ａ・２２２ｂに回転モーメントを与えることなく電線２０２の張力を緩和することができ、補助材２２４の交換作業をより効率的に行うことが可能となる。
【００３８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３９】
本発明は、アングル材で構成された腕金を補修する腕金補修方法および腕金補修装置として利用することができる。
【符号の説明】
【００４０】
１００…腕金補修装置、１０２…ボルト、１１０ａ…治具、１１０ｂ…治具、１１２…床板、１１２ａ…ボルト穴、１１２ｂ…ボルト穴、１１４…立板、１１４ａ…ボルト穴、１１６ａ…三角板、１１６ｂ…三角板、１２０…継手、１２２ａ…ネジ部、１２２ｂ…ネジ部、１２４…連結部、１２６…張力計、１３０ａ…ナット、１３０ｂ…ナット、２００…鉄塔、２００ａ…本体部、２０２…電線、２１０ａ…主脚材、２１０ｂ…主脚材、２１２…補助筋、２２０…腕金、２２２ａ…主材、２２２ｂ…主材、２２４…補助材、２２４ａ…補助材、２２４ｂ…補助材、２２４ｃ…補助材、２２４ｄ…補助材、２２４ｅ…補助材、２２４ｆ…補助材、２２４ｇ…補助材、２２６ａ…プレート、２２６ｂ…プレート、２２６ｃ…プレート、２２６ｄ…プレート、２２６ｅ…プレート、２２６ｆ…プレート、２２６ｇ…プレート
【図１】
2018110484.tif 000003
【図２】
2018110484.tif 000004
【図３】
2018110484.tif 000005
【図４】
2018110484.tif 000006
【図５】
2018110484.tif 000007
【図６】
2018110484.tif 000008